(57)【要約】【課題】  安価かつ容易に視差画像とレンズとの配置周期を一致させることができる印刷装置を提供する。【解決手段】  画像が印刷される被記録部材６０に対して主走査方向に移動しつつ被記録部材６０の所定位置にインクを吐出する記録ヘッド１１ａと、記録ヘッド１１ａを主走査方向に移動させる記録ヘッド移動手段と、記録ヘッド１１ａに対して被記録部材６０を副走査方向に移動させる被記録部材移動手段と、記録ヘッド１１ａの移動を測定するエンコーダ４０とを備え、エンコーダ４０が、記録ヘッド１１ａの移動方向または被記録部材６０の移動方向とは異なる方向に向かって間隔が変化する目盛りを有するスケール４１と、目盛りを検出する測定部４３とを有し、スケール４１と測定部４３とが記録ヘッド１１ａの移動方向または被記録部材６０の移動方向主走査方向とは異なる方向に相対移動して、測定部４３が検出する目盛りの間隔を切り替えることを特徴とする。【選択図】  図２
2005178225.tif 000002
【特許請求の範囲】
【請求項１】
画像が印刷される被記録部材に対して主走査方向に移動しながら前記被記録部材の所定位置にインクを吐出する記録ヘッドと、
前記記録ヘッドを前記主走査方向に移動させる記録ヘッド移動手段と、
前記記録ヘッドに対して前記被記録部材を副走査方向に移動させる被記録部材移動手段と、
前記記録ヘッドの移動および前記被記録部材の移動の少なくとも一方を測定するエンコーダと、を備え、
前記エンコーダが、前記記録ヘッドの移動方向または前記被記録部材の移動方向とは異なる方向に向かって間隔が変化する目盛りを有するスケールと、前記目盛りを検出する測定部と、を有し、
前記スケールと前記測定部とが前記記録ヘッドの移動方向または前記被記録部材の移動方向とは異なる方向に相対移動して、前記測定部が検出する前記目盛りの間隔を切り替えることを特徴とする印刷装置。
【請求項２】
前記スケールが、略長方形形状に形成されるとともに、前記目盛りが、前記スケールの長手軸線方向と交差するように形成され、
前記スケールが、前記長手軸線方向と前記記録ヘッドの移動方向または前記被記録部材の移動方向とが略平行となるように配置されていることを特徴とする請求項１記載の印刷装置。
【請求項３】
前記目盛りの間隔が、前記記録ヘッドの移動方向または前記被記録部材の移動方向に対して略直交方向に向かって変化することを特徴とする請求項１または２に記載の印刷装置。
【請求項４】
前記目盛りが、前記スケール外の所定の１点から放射状に延びた複数の直線から形成されていることを特徴とする請求項１から３のいずれかに記載の印刷装置。
【請求項５】
前記測定部が前記記録ヘッドに取り付けられ、
前記スケールが、回動自在に配置された一対のローラに巻回されるとともに、前記記録ヘッドの移動方向に対して略直交方向に延在するベルトに取り付けられ、
一方のローラには、前記ローラおよび前記ベルトを介して前記スケールを、前記記録ヘッドの移動方向に対して略直交方向に駆動するモータが配置されていることを特徴とする請求項１から４のいずれかに記載の印刷装置。
【請求項６】
前記スケールが、前記被記録部材移動手段により、前記被記録部材の移動と同期して前記長手軸線方向に移動され、
前記測定部が、回動自在に配置された一対のローラに巻回されるとともに、前記長手軸線方向に対して略直交方向に延在するベルトに取り付けられ、
一方のローラには、前記ローラおよび前記ベルトを介して前記測定部を、前記長手軸線方向に対して略直交方向に駆動するモータが配置されていることを特徴とする請求項１から４のいずれかに記載の印刷装置。
【請求項７】
前記スケールの目盛り間隔の変更が、
変更後の前記目盛り間隔を、前記スケールにおける複数の前記目盛り間隔から選択し、
前記エンコーダで測定される前記目盛り間隔が、変更後の前記目盛り間隔となるように前記スケールおよび前記測定部の相対位置を変更し、
変更後の前記目盛り間隔に基づいて、記録ヘッドの駆動周期および画像の描画速度を変更して行われることを特徴とする請求項１から６のいずれかに記載の印刷装置。
【請求項８】
前記被記録部材が、一方の面に複数のレンズが配列されたレンズシートまたはレンズ相当の凹凸を有した印刷メディアであって、
変更後の前記目盛り間隔が、前記レンズまたは前記レンズ相当の凹凸の配置周期と視差数とに基づいて選択されることを特徴とする請求項７記載の印刷装置。
【請求項９】
前記エンコーダで測定される前記目盛り間隔の変更が、前記モータを駆動制御することにより前記スケールを前記主走査方向に移動させて、前記スケールおよび前記測定部の相対位置を変更して行われることを特徴とする請求項７または８に記載の印刷装置。
【発明の詳細な説明】
【技術分野】
【０００１】
本発明は、印刷装置に関する。
【背景技術】
【０００２】
従来から、立体画像として、複数の方向から撮影された複数の像がストライプ状に合成されてなり、表面に複数の柱型非球面レンズが配列されたレンチキュラーシートの裏面に記録されている視差画像を、レンチキュラーシートの表面側からレンチキュラーシートの柱型非球面レンズを透過して左右別々の眼でそれぞれ観察することにより立体視する立体画像が広く知られている。
また、上記の立体画像の他に、平面状に配列された複数の凸型レンズ（蜂の巣状のレンズ）を利用したインテグラルフォトグラフィーと呼ばれる技術を用いて得られる立体画像もある。
【０００３】
これらの立体画像は、柱型非球面レンズまたは蜂の巣状のレンズからなる複数のレンズの各々に対応する位置に、視差画像が記録されていることによって得られるものであり、両眼に別々の色を配した眼鏡などの特殊眼鏡を透過させて見る必要がないという利点を有するものである。
このような立体画像を形成する方法としては、例えば、レンチキュラーシートの裏面に、インクジェットプリンタなどのプリンタにより視差画像を、レンチキュラーシートのレンズの配置周期と同じ周期で記録する技術などが提案されている（例えば、特許文献１から５参照。）。
【特許文献１】特開平８−１０１３５９号公報
【特許文献２】特開平７−２８１３２７号公報
【特許文献３】特開平９−１５７６６号公報
【特許文献４】特開平１１−１８８８６６号公報
【特許文献５】特開２００１−２５５６０６号公報
【特許文献６】特開２０００−１０３１３５号公報
【発明の開示】
【発明が解決しようとする課題】
【０００４】
上記の特許文献１においては、印刷される視差画像を調節することにより、レンチキュラーシートのレンズと視差画像との周期の違いを吸収する技術が開示されている。しかしながら、上記の技術では、レンチキュラーレンズのレンズと視差画像との周期の違いを完全に吸収することが困難であった。つまり、視差画像調節の最小値は、視差画像を印刷するプリンタの最大解像度で決まり、それ以上細かい調節を行うことができなかった。つまり、レンチキュラーシートのレンズと視差画像との微小な周期の違いが残り、高品質な立体画像を実現することが困難であった。
【０００５】
また、上記の特許文献２および特許文献３においては、視差画像を印刷するプリンタの駆動周期に合わせた周期のレンズを備えたレンチキュラーシートを用いる技術が開示されている。しかしながら、上記の技術では、プリンタの駆動周期と同じ周期を有するレンチキュラーシートを用いる必要があり、レンチキュラーシート選択の幅が限定されてしまうとともに、消耗品であるレンチキュラーシートを特注することによる生産コスト、ランニングコストの上昇という問題があった。
【０００６】
特許文献４および特許文献５においては、視差画像を印刷するプリンタが、同時に被印刷対象にレンズを形成する技術が開示されている。しかしながら、上記の技術では、現在用いられているプリンタからの仕様変更箇所や新規に開発しなければならない要素が多く、その実現には、まだ多くの時間を要するという問題があった。
【０００７】
また、上記の技術以外にも、プリンタの駆動周期をレンチキュラーシートのレンズの周期に合わせる技術が提案されている。プリンタの駆動周期は、駆動周波数や、印字速度、リニアエンコーダの解像度などのパラメータにより決定されている。駆動周波数や、印字速度は、それらを制御しているソフトウエアのパラメータを変更することにより所望の値に変更することができる。しかしながら、リニアエンコーダの解像度は変更することが困難であり、特許文献６に開示しているように、１種類の解像度でしか表現できず、視差画像とレンチキュラーシートのレンズとの周期を完全に一致させることが困難であった。
【０００８】
本発明は、上記の課題を解決するためになされたものであって、安価かつ容易に視差画像とレンズとの配置周期を一致させることができる印刷装置を提供することを目的とする。
【課題を解決するための手段】
【０００９】
上記目的を達成するために、本発明の印刷装置は、画像が印刷される被記録部材に対して主走査方向に移動しながら被記録部材の所定位置にインクを吐出する記録ヘッドと、記録ヘッドを主走査方向に移動させる記録ヘッド移動手段と、記録ヘッドに対して被記録部材を副走査方向に移動させる被記録部材移動手段と、記録ヘッドの移動を測定するエンコーダと、を備え、エンコーダが、記録ヘッドの移動方向または被記録部材の移動方向とは異なる方向に向かって間隔が変化する目盛りを有するスケールと、目盛りを検出する測定部と、を有し、スケールと測定部とが記録ヘッドの移動方向または被記録部材の移動方向主走査方向とは異なる方向に相対移動して、測定部が検出する目盛りの間隔を切り替えることを特徴とする。
【００１０】
すなわち、本発明の印刷装置のエンコーダは、スケールと測定部とが記録ヘッドの移動方向または被記録部材の移動方向と異なる方向に相対移動することにより、測定部が検出する目盛りの間隔を切り替えることができる。そのため、エンコーダは、異なる解像度を備えることができ、記録ヘッドの移動を所定の解像度で測定することができる。
その結果、本発明の印刷装置は、記録ヘッドまたは被記録部材を所定の周期で移動させることができ、所定の周期で画像を印刷することができる。そのため、例えば、被記録部材にレンチキュラーシートを用いた場合には、レンチキュラーシートのレンズの配置周期と、視差画像の周期とを容易に一致させることができる。また、さまざまなレンズの配置周期に対応することができるので、レンチキュラーシートの選択範囲が広くなって大量生産品のレンチキュラーシートを用いることにより、ランニングコストを低減することができる。
【００１１】
上記の構成を実現するために、より具体的には、スケールが、略長方形形状に形成されるとともに、目盛りが、スケールの長手軸線方向と交差するように形成され、スケールが、長手軸線方向と記録ヘッドの移動方向または被記録部材の移動方向とが略平行となるように配置されていることが望ましい。
この構成によれば、スケールの長手軸線方向と、記録ヘッドの移動方向または被記録部材の移動方向とが略平行となるように配置されているため、上記記録ヘッドの移動方向または上記被記録部材の移動方向と、スケールの長手軸線方向と、が略一致し、かつ、目盛りが長手軸線方向と交差するように形成されているので、記録ヘッドの移動距離または被記録部材の移動距離を容易に測定することができる。
【００１２】
上記の構成を実現するために、より具体的には、目盛りの間隔が、主走査方向に対して略直交方向に向かって変化することが望ましい。
この構成によれば、目盛りの間隔が、主走査方向に対して略直交方向に向かって変化しているので、上記スケールと上記測定部との相対位置を上記略直交方向に向かって移動させて測定に用いる目盛りの間隔を変えることができる。
【００１３】
上記の構成を実現するために、より具体的には、目盛りが、スケール外の所定の１点から放射状に延びた複数の直線から形成されていることが望ましい。
この構成によれば、目盛りがスケール外に設けられた所定の１点から放射状に延びた複数の直線から形成されているため、目盛りの間隔は、主走査方向に対して略直交方向に向かって、連続的に変化している。そのため、上記スケールと上記測定部との相対位置を上記略直交方向に向かって移動させることにより、目盛りの間隔を連続的に変えることができる。
【００１４】
上記の構成を実現するために、より具体的には、測定部が記録ヘッドに取り付けられ、スケールが、回動自在に配置された一対のローラに巻回されるとともに、記録ヘッドの移動方向に対して略直交方向に延在するベルトに取り付けられ、一方のローラには、ローラおよびベルトを介してスケールを、記録ヘッドの移動方向に対して略直交方向に駆動するモータが配置されていることが望ましい。
この構成によれば、スケールが、モータにより記録ヘッドの移動方向に対して略直交方向に駆動されるベルトに取り付けられているので、スケールを上記略直交方向に駆動することにより、測定部との位置関係を変更して測定に用いる上記目盛りの間隔を変更することができる。
また、測定部を記録ヘッドに取付け、スケールを記録ヘッドの移動方向に対して略直交方向に駆動することにより、記録ヘッドは主走査方向のみに移動可能に構成されればよく、その構成を簡略化することができ、従来の構成を大幅に変更する必要がない。
【００１５】
上記の構成を実現するために、より具体的には、スケールが、被記録部材移動手段により、被記録部材の移動と同期して長手軸線方向に移動され、測定部が、回動自在に配置された一対のローラに巻回されるとともに、長手軸線方向に対して略直交方向に延在するベルトに取り付けられ、一方のローラには、ローラおよびベルトを介して測定部を、長手軸線方向に対して略直交方向に駆動するモータが配置されていてもよい。
この構成によれば、測定部が、モータによりスケールの長手軸線方向に対して略直交方向に駆動されるベルトに取り付けられているので、測定部を上記略直交方向に駆動することにより、スケールとの位置関係を変更して測定に用いる上記目盛りの間隔を変更することができる。
【００１６】
上記の構成を実現するために、より具体的には、スケールの目盛り間隔の変更が、変更後の目盛り間隔を、スケールにおける複数の目盛り間隔から選択し、エンコーダで測定される目盛り間隔が、変更後の目盛り間隔となるようにスケールおよび測定部の相対位置を変更し、変更後の目盛り間隔に基づいて、記録ヘッドの駆動周期および画像の描画速度を変更して行われることが望ましい。
この構成によれば、選択された変更後の目盛り間隔に基づいて、エンコーダで測定される目盛り間隔と、記録ヘッドの駆動周期と、画像の描画速度または印字速度とが変更されている。そのため、例えば、被記録部材に印刷される画像に求められる周期に応じて目盛り間隔を選択することにより、画像を所定の周期で印刷することができる。
【００１７】
上記の構成を実現するために、より具体的には、被記録部材が、一方の面に複数のレンズが配列されたレンズシートまたはレンズ相当の凹凸を有した印刷メディアであって、変更後の目盛り間隔が、レンズまたはレンズ相当の凹凸の配置周期と視差数とに基づいて選択されることが望ましい。
この構成によれば、変更後の目盛り間隔が、被記録部材のレンズまたはレンズ相当の凹凸の配置周期と所定の視差数とに基づいて選択されるため、例えば、被記録部材におけるレンズまたはレンズ相当の凹凸の配置領域に、視差数分の異なる視差画像を、レンズまたはレンズ相当の凹凸の配置周期と同じ周期で印刷することができる。また、各視差画像を描画するのに要するドット数を全ての視差画像において等しくすることができ、各視差画像における解像度を等しくすることができる。
【００１８】
上記の構成を実現するために、より具体的には、エンコーダで測定される目盛り間隔の変更は、モータを駆動制御することによりスケールを主走査方向に移動させて、スケールおよび測定部の相対位置を変更して行われることが望ましい。
この構成によれば、エンコーダで測定される目盛り間隔の変更は、モータを駆動制御することによりスケールを主走査方向に移動させることにより行われるため、スケールおよび測定部の相対位置を制御することができ、エンコーダで測定される目盛り間隔を所定の目盛り間隔に変更することができる。
【発明を実施するための最良の形態】
【００１９】
以下、本発明の好適な実施形態について、図面を参照して詳細に説明する。
なお、以下に示す実施形態は、本発明の要旨を説明するためのものであり、特に限定がない限り本発明を限定するものではない。
本実施形態においては、被記録部材における視差画像が記録される面と同一の面にレンズが形成される印刷装置により立体画像シートを作製する場合の例について説明する。
図１は、本発明の印刷装置の一例を説明するための斜視図であり、図２は、図１に示した印刷装置における記録ヘッドの周辺部分を拡大して示した図であり、印刷装置内に被記録部材が挿入された状態を示した図である。
【００２０】
図１において、符号１００は、印刷装置を示している。この印刷装置１００は、本体１０と、シート送りユニット（被記録部材移動手段）５０とから概略構成されている。
また、図１において、符号６０は、レンチキュラーシート（被記録部材）を示している。このレンチキュラーシート６０は、一方の面に、柱型非球面レンズであるレンチキュラーレンズ（レンズ）６０ａが略等間隔に配置され、他方の面に、印刷用のインクを吸収するインク吸収層からなる印刷面６０ｂが形成されている。
【００２１】
本体１０には、図１および図２に示すように、カートリッジ１１の支持部材であるキャリッジ１２と、後述するキャリッジ移動手段（記録ヘッド移動手段）と、が備えられている。キャリッジ１２には、記録ヘッド１１ａとインク袋（図示せず）とが搭載されたカートリッジ１１とが取り付けられている。
【００２２】
記録ヘッド１１ａは、図２に示すように、インク袋内のインクをノズル６１より吐出することによりレンチキュラーシート６０の印刷面６０ｂに視差画像６０ｃを記録するものであり、いわゆるインクジェット方式により記録を行うものである。
記録ヘッド１１ａとしては、例えば、インクジェットプリンタ用に実用化されているもので、圧電素子を用いたピエゾジェットタイプや、エネルギー発生素子として電気熱変換体を用いたバブルジェット（登録商標）タイプなどが使用可能であり、着色面積および着色パターンは、任意に設定することが可能である。
【００２３】
キャリッジ移動手段は、図１および図２に示すように、キャリッジ１２を主走査方向に移動させるものであり、フレーム１３、ガイド棒１４、モータ１５、ギヤ１７、２１、駆動輪１８、タイミングベルト１９、従動輪２０からなるものである。
キャリッジ１２は、図１に示すように、フレーム１３に設けられた一対のガイド棒１４によりガイド棒１４の幅方向（主走査方向）に移動自在に支持されている。キャリッジ１２を駆動するための駆動源となるモータ１５としては、例えば直流モータが設けられ、一定方向に回転駆動される。
【００２４】
また、図２に示すように、キャリッジ１２の下方およびフレーム１３の間には、記録ヘッド１１ａの移動距離を測定する第１のリニアエンコーダ（エンコーダ）４０と、第１の解像度変更部４５とが設けられている。第１のリニアエンコーダ４０により測定された記録ヘッド１１ａの移動距離は、記録ヘッド１１ａの位置制御の補正に用いられている。第１のリニアエンコーダ４０を用いることにより、記録ヘッド１１ａの位置制御誤差が小さくなり、より正確な位置に視差画像を印刷することができる。
なお、第１のリニアエンコーダ４０および第１の解像度変更部４５の配置位置は、図２に示すようにキャリッジ１２の下方とフレーム１３との間でもよいし、キャリッジ１２の側方とフレーム１３との間でもよく、その配置位置を特に限定するものではない。
【００２５】
図３（ａ）は、第１のリニアエンコーダ構成を示す模式図であり、図３（ｂ）は、リニアエンコーダのスケールを示す図である。
第１のリニアエンコーダ４０は、図３（ａ）、（ｂ）に示すように、目盛り４２が形成されたスケール４１と、スケール４１に形成された目盛り４２を光学的に検出するＣＣＤ（Ｃｈａｒｇｅ  Ｃｏｕｐｌｅｄ  Ｄｅｖｉｃｅ）カメラなどのセンサ（測定部）４３とから概略構成されている。第１の解像度変更部４５は、一対のローラ４６に巻回されたベルト４７と、一対のローラ４６の一方を回転駆動するモータ４８とから概略構成されている。
【００２６】
スケール４１は、図３（ａ）、（ｂ）に示すように、略長方形形状の被測定部材４４からなり、被測定部材４４には、目盛り４２が形成されている。目盛り４２は、図４に示すように、被測定部材４４の端部から短軸方向に外れた仮想点（所定の１点）Ｐから被測定部材４４に向かって放射状、かつ等間隔に広がる直線Ｌから形成されている。スケール４１における目盛り４２の間隔としては、例えば、間隔が狭い側（図３（ｂ）における上端での間隔）で約８．８μｍ（１／２８８０ｄｐｉ（ｄｏｔ  ｐｅｒ  ｉｎｃｈ）に相当する）に形成され、広い側（図３（ｂ）における下端での間隔）で約９．４μｍ（１／２７００ｄｐｉに相当する）に形成され、その間の目盛り４２間隔は、狭い側から広い側に向かって線形的に変化（広く）なっている例を挙げることができる。
【００２７】
図４は、スケールの目盛りの形成方法を示す図である。
なお、目盛り４２の間隔は、上述の間隔でもよいし、上述の間隔よりも広い間隔でもよいし、狭い間隔でもよい。また、仮想点Ｐの位置は、図４に示すように、被測定部材４４の端部から短軸方向に外れた位置でもよいし、被測定部材４４の略中央部から短軸方向に外れた位置でもよい。さらに、第１のリニアエンコーダ４０としては、スケール４１の目盛り４２を、例えばＣＣＤカメラなどのセンサで検出してもよいし、スケール４１の目盛り４２を磁気の目盛りとして、磁気センサで検出してもよい。また、スケール４１の被測定部材４４としては、光を透過させない不透光性の材料から形成されたものでもよいし、ガラスや、ポリカーボネート、塩化ビニールなどの透光性を有する材料から形成されたものでもよい。さらに、被測定部材４４としては、硬い（剛性の高い）材料を用いてもよいし、軟らかい（剛性の低い）材料を用いてもよい。また、剛性を有するように構成されてもよいし、柔軟性を有するように構成されてもよい。
【００２８】
第１の解像度変更部４５には、図３（ａ）に示すように、ローラ４６に巻回されたベルト４７が一対、略平行に備えられ、ベルト４７は主走査方向に対して略直交方向に延在するように配置されている。それぞれのベルト４７のローラ４６には別々のモータ４８が備えられ、ベルト４７は、ローラを介してモータ４８により駆動される。なお、モータ４８は、上述のようにそれぞれのベルト４７のローラ４６に対して別々に備えられてもよいし、それぞれのベルト４７のローラ４６を共通の回転軸で支持して１つのモータ４８で駆動してもよい。
また、図１に示すように、本体１０には、モータ１５などを駆動させるため、あるいは信号を取り出すための制御線２６、および記録ヘッドを駆動するための制御信号を入力するための制御線２７が接続されている。
【００２９】
図２および図３（ａ）に示すように、第１の解像度変更部４５のベルト４７の上には、スケール４１が、その長軸方向が主走査方向と略平行となるように配置され、ベルト４７とともに主走査方向と略直交方向に移動可能とされている。キャリッジ１２の下面には、センサ４３が配置され、キャリッジ１２とともに主走査方向に移動可能とされている。
【００３０】
シート送りユニット５０は、図１に示すように、本体１０のフレーム１３を直角に上方に折り曲げたガイド面１３ａにネジ止めされて本体１０に固着されている。シート送りユニット５０の駆動源としては、ギヤ群５１および伝達軸（図示せず）を介して、従動輪２０に連結されたギヤ２１の回転が供給される。ギヤ群５１は、一対の紙送りローラと連結されており、印刷装置１００に挿入されたレンチキュラーシート６０を所定量送り出すようになっている。
【００３１】
図５（ａ）は、副走査方向のリニアエンコーダ構成を示す部分断面図であり、図５（ｂ）は、リニアエンコーダ構成を示す部分平面図である。
また、シート送りユニット５０には、レンチキュラーシート６０の移動距離を測定する第２のリニアエンコーダ７０と、第２の解像度変更部７５とが設けられている。第２のリニアエンコーダ７０により測定されたレンチキュラーシート６０の移動距離は、レンチキュラーシート６０の位置制御の補正に用いられている。第２のリニアエンコーダ７０を用いることにより、レンチキュラーシート６０の位置制御誤差が小さくなり、より正確な位置に視差画像を印刷することができる。
【００３２】
第２のリニアエンコーダ７０は、第１のリニアエンコーダ４０と同様に、目盛りが形成されたスケール４１と、目盛りを光学的に検出するＣＣＤカメラなどのセンサ４３とから概略構成されている。第２の解像度変更部７５は、第１の解像度変更部４５と同様に、一対のローラ４６に巻回されたベルト４７と、一対のローラ４６の一方を回転駆動するモータ４８とから概略構成されている。
【００３３】
第２の解像度変更部７５には、図５（ａ）、（ｂ）に示すように、ローラ４６に巻回されたベルト４７が備えられ、ベルト４７は副走査方向に対して略直交方向に延在するように配置されている。ベルト４７のローラ４６にはモータ４８が備えられ、ベルト４７は、ローラを介してモータ４８により駆動される。
第２の解像度変更部７５のベルト４７の上には、センサ４３が配置され、ベルト４７とともに副走査方向と略直交方向に移動可能とされている。
【００３４】
スケール４１は、その長手軸線方向が副走査方向と一致するように配置されるとともに、目盛り４２が形成された面の反対面が、ギヤ群５１のギヤと接するように配置されている。上記反対面は、ギヤ群５１のギヤと噛み合う形状に形成されている。
例えば、スケール４１を駆動するギヤの径と、紙送りローラの径と、が同じであれば、スケール４１の移動量とレンチキュラーシート６０の移動量とは等しくなる。また、上記ギヤの径と、紙送りローラの径とが異なっていても、スケール４１の移動量とレンチキュラーシート６０の移動量と比は常に一定であるので、レンチキュラーシート６０の移動量の計測は可能である。なお、図には示さないが、スケール４１は、図５（ａ）の上または下に、このスケールを巻き取る仕組みを設けてあってもよいし、スケールが回転するような仕組みを設けてあってもよい。
【００３５】
次に、このような印刷装置１００を用いて、レンチキュラーシート６０に視差画像６０ｃを記録するとともに、レンチキュラーシート６０における各視差画像６０ｃに対応する位置にレンチキュラーレンズ６０ａを形成して、図４に示す立体画像シート６を作製する方法について説明する。
【００３６】
まず、図１および図２に示すように、制御線２６を介してモータ１５などの制御電圧等が供給され、制御線２７を介して記録ヘッド１１ａに制御信号が供給されると、レンチキュラーシート６０が印刷装置１００内に挿入され、シート送りユニット５０により記録ヘッド１１ａに対して副走査方向に移動する。具体的には、ギヤ１７、駆動輪１８、タイミングベルト１９を介してモータ１５により従動輪２０に連結されたギヤ２１が回転される。ギヤ２１の回転が回転駆動されると、伝達軸（図示せず）を介してギヤ群５１が回転駆動され、一対の紙送りローラが回転駆動される。この紙送りローラの回転によりレンチキュラーシート６０は、副走査方向に移動される。
そして、レンチキュラーシート６０は、記録ヘッド１１ａに対して副走査方向に視差画像を記録する位置に合わせられる。
【００３７】
次いで、記録ヘッド１１ａをキャリッジ移動手段により主走査方向に移動させる。具体的には、モータ１５によりギヤ１７および駆動輪１８が回転駆動され、駆動輪１８によりタイミングベルト１９が回転駆動される。タイミングベルト１９が回転駆動されると、従動輪２０が回転し、従動輪２０に連結されたギヤ２１が回転される。タイミングベルト１９には、キャリッジ１２を往復動させるための駆動ピン３０が設けられているため、タイミングベルト１９の一方向の回転駆動によりキャリッジ１２が往復動される。キャリッジ１２の往復動は、基本的にモータ１５の回転により制御されており、第１のリニアエンコーダ４０によるキャリッジ１２の移動距離の測定値は、主に補正用に用いられている。
上述のように、記録ヘッド１１ａが、レンチキュラーシート６０に対して主走査方向に移動するときに、記録ヘッド１１ａの移動と同調して、ノズル６１からインク袋内のインクをレンチキュラーシート６０に向けて吐出することにより、図３に示すように、視差画像６０ｃを記録する。
【００３８】
次に、印刷装置１００が、レンチキュラーシート６０のレンチキュラーレンズ６０ａの配置周期に合わせて視差画像６０ｃを印刷する方法について説明する。
なお、第１のリニアエンコーダ４０を用いてレンチキュラーレンズ６０ａの配置周期に合わせて視差画像６０ｃを印刷する方法と、第２のリニアエンコーダ７０を用いて上記配置周期に合わせて視差画像６０ｃを印刷する方法とは、その作用効果が略同一であるので、ここでは、主に第１のリニアエンコーダ４０を用いて上記配置周期に合わせて視差画像６０ｃを印刷する方法について説明する。
図６は、レンチキュラーレンズ６０ａの配置周期に合わせた視差画像６０ｃの印刷方法を示すフローチャートである。
レンチキュラーレンズ６０ａの配置周期に合わせた視差画像６０ｃの印刷方法は、図６に示すように、周期選択Ｓ１０、リニアエンコーダ設定Ｓ１１、駆動パラメータ設定Ｓ１２から概略構成されている。
【００３９】
周期選択Ｓ１０では、まず、レンチキュラーシート６０のレンチキュラーレンズ６０ａの配置周期に基づいて、第１のリニアエンコーダ４０におけるスケール４１の目盛り４２の間隔範囲から１つの目盛り４２の間隔を選択する。目盛り４２間隔の選択方法は、目盛り４２の間隔が狭い側から（解像度が高い側から）順にレンチキュラーレンズ６０ａの配置周期で割り切れる目盛り４２間隔から選択している。割り切れる目盛り４２間隔が複数存在する場合には、さらに、目盛り４２間隔の小さいものから順に視差数で割り切れる目盛り４２間隔を優先して選択している。視差数とは、立体画像印刷またはモーション印刷などで用いる画像の数のことである。例えば、レンチキュラーレンズ６０ａの配置周期が７３ｄｐｉ（約３４７．９μｍ）であったとすると、目盛り４２の間隔は、１／２８４７ｄｐｉ（約８．９μｍ）のものが選択される。
【００４０】
なお、周期選択Ｓ１０で用いられるレンチキュラーレンズ６０ａの配置周期としては、印刷装置１００に設けられたセンサ（図示せず）が、レンチキュラーシート６０が印刷装置１００に供給された時に、自動的にレンチキュラーレンズ６０ａの配置周期を検出した検出結果であってもよいし、使用者が事前に得たレンチキュラーレンズ６０ａの配置周期を印刷装置１００に入力した値であってもよい。
【００４１】
リニアエンコーダ設定Ｓ１１では、第１のリニアエンコーダ４０が、周期選択Ｓ１０で選択した目盛り４２の間隔で測定できるように、スケール４１とセンサ４３との相対位置関係を調節している。スケール４１とセンサ４３との相対位置関係は、モータ４８によりベルト４７を介してスケール４１の位置を主走査方向に対して略直交方向に移動させることにより変更、調節される。
【００４２】
駆動パラメータ設定Ｓ１２では、周期選択Ｓ１０で選択した目盛り４２の間隔に基づき、キャリッジ１２の２つ駆動パラメータ（駆動周波数および印字速度）の設定を変更している。例えば、選択した目盛り４２の間隔が、１／２８４７ｄｐｉ（約８．９μｍ）であって、印刷する画像の目標解像度が２８４７ｄｐｉ（各ドットの間隔が約８．９μｍとなる解像度）、目標駆動周波数が１４４００Ｈｚであると、（印字速度）＝（駆動周波数）／（解像度）の関係式により、印字速度が約５．０５ｉｎｃｈ／ｓ（約１２８．２７ｍｍ／ｓ）と求まる。したがって、これらの数値に基づいてキャリッジ１２を制御することで、レンチキュラーレンズ６０ａの配置周期に合わせた視差画像６０ｃを印刷することができるとともに、視差画像６０ｃの解像度を変更することができる。
なお、上述のように、解像度と駆動周波数とに基づいて印字速度を求めてもよいし、解像度と印字速度とに基づいて駆動周波数を求めてもよい。例えば、目標解像度が２８４７ｄｐｉ、目標印字速度が２０ｉｎｃｈ／ｓ（５０８ｍｍ／ｓ）であると、駆動周波数は、５６９４０Ｈｚとなる。
【００４３】
上記の構成によれば、スケール４１とセンサ４３とが主走査方向と異なる方向に相対移動することにより、センサ４３が検出する目盛りの間隔を切り替えることができる。そのため、第１のリニアエンコーダ４０は、異なる解像度を備えることができ、記録ヘッド１１ａの移動を所定の解像度で測定することができる。その結果、本発明の印刷装置１００は、記録ヘッド１１ａを所定の移動距離で正確に移動させることができ、所定の解像度で画像を印刷することができる。また、レンチキュラーシート６０のレンチキュラーレンズ６０ａの配置周期と視差画像の解像度、周期とを容易に対応させることができる。
【００４４】
また、さまざまなレンズ６０ａの配置周期に対応することができるので、レンチキュラーシート６０の選択範囲が広くなり、大量生産品のレンチキュラーシート６０を用いることにより、印刷装置１００のランニングコストを低減することができる。
【００４５】
目盛り４２がスケール４１外に設けられた仮想点Ｐから放射状に延びた複数の直線から形成されているため、目盛り４２の間隔は、主走査方向に対して略直交方向に向かって、連続的に変化している。そのため、スケール４１とセンサ４３との相対位置を略直交方向に向かって移動させることにより、目盛り４２の間隔を連続的に変えることができる。
【００４６】
スケール４１が、モータ４８により主走査方向に対して略直交方向に駆動されるベルト４７に取り付けられているので、スケール４１を略直交方向に駆動することにより、センサ４３との位置関係を変更して測定に用いる目盛り４２の間隔を変更することができる。
また、センサ４３を記録ヘッド１１ａに取付け、スケール４１を主走査方向に対して略直交方向に駆動することにより、記録ヘッド１１ａは主走査方向のみに移動可能に構成されればよく、その構成を簡略化することができ、従来の構成を大幅に変更する必要がない。
【００４７】
周期選択Ｓ１０において選択された目盛り４２間隔が、レンチキュラーシート６０の配置周期および所定の視差数に基づいて選択されるため、例えば、１つのレンチキュラーレンズ６０ａの配置領域に、視差数分の異なる視差画像６０ｃを印刷することができるとともに、各視差画像６０ｃを描画するのに要するドット数を全て等しくすることができる（解像度を等しくすることができる）。
【００４８】
なお、本発明の技術範囲は上記実施形態に限定されるものではなく、本発明の趣旨を逸脱しない範囲において種々の変更を加えることが可能である。
例えば、上記の実施の形態においては、レンチキュラーシートに立体画像の視差画像を印刷し、立体画像を観察できるレンチキュラーシートの印刷装置に適応して説明したが、その他にも、複数の異なる画像の視差画像をレンチキュラーシートに印刷して観察する方向により異なる画像を観察できるレンチキュラーシート（例えば、観察方向を変えることにより動画のように次々と画面が切り替わって見えるレンチキュラーシート）の印刷装置に適応することができるものである。
また、上記の実施の形態においては、上記の実施の形態においては、被記録部材にレンチキュラーレンズを用いたレンチキュラーシートを適応して説明したが、レンチキュラーシートの他にも、蜂の巣状のレンズを用いたインテグラルシートを被記録部材に用いるなど、さまざまなレンズシートを被記録部材に用いることができるものである。
【図面の簡単な説明】
【００４９】
【図１】本発明の印刷装置の一実施形態を示す斜視図である。
【図２】同、印刷装置における記録ヘッド周辺部分の拡大断面図である。
【図３】同、印刷装置におけるリニアエンコーダ部分の部分拡大図である。
【図４】同、リニアエンコーダにおけるスケールの目盛りを説明する図である。
【図５】同、印刷装置におけるリニアエンコーダ部分の部分拡大図である。
【図６】同、スケールの目盛り間隔の変更を説明するフローチャートである。
【符号の説明】
【００５０】
１１ａ・・・記録ヘッド、  ４０・・・第１のリニアエンコーダ（エンコーダ）、  ４１・・・スケール、  ４２・・・目盛り、  ４３・・・センサ（測定部）、  ４６・・・ローラ、  ４７・・・ベルト、  ４８・・・モータ、  ５０・・・シート送りユニット（被記録部材移動手段）、  ６０・・・レンチキュラーシート（被記録部材）、  ６０ａ・・・レンチキュラーレンズ（レンズ）、  ７０・・・第２のリニアエンコーダ（エンコーダ）、  １００・・・印刷装置、  Ｐ・・・仮想点（所定の１点）
【図１】
2005178225.tif 000003
【図２】
2005178225.tif 000004
【図３】
2005178225.tif 000005
【図４】
2005178225.tif 000006
【図５】
2005178225.tif 000007
【図６】
2005178225.tif 000008